(57)【要約】【課題】ころを傷つけること無く、装置の軸に確実にころを組みかえることができるころの脱落防止具およびころ脱落防止具を用いたころの組み入れ方法を提供すること。【解決手段】ころ軸受１２の軸に平行な溝１８が脱落防止具１１の円筒本体１５の外周面１６に複数形成された脱落防止具１１の円筒本体１５をころ軸受１２の内径面１３内側に挿入してころ軸受１２からころ１４が脱落することを防止するころ脱落防止具１１であって、溝１８は、溝１８の曲率半径ｒ３がころ１４の半径ｒ４とほぼ同径またはころ１４の半径より大きく、軸に組み込まれるころ１４と同数以上のころ１４が脱落防止具１１の円筒本体１５の外周面１６に組み込まれるように設けられ、脱落防止具１１の円筒本体１５の内径ｒ１が軸の外径未満であり、かつ複数の溝１４の底によって脱落防止具１１の円筒本体１５の外周面１６に形成される円筒体の径ｒ２が軸の外径以上に形成される。【選択図】図２
2013152009.tif 000002
【特許請求の範囲】
【請求項１】
ころ軸受の軸に平行な溝が外周面に複数形成された筒体を前記ころ軸受の内径面内側に挿入して前記ころ軸受からころが脱落することを防止するころ脱落防止具であって、
前記溝は、前記溝の曲率半径が前記ころの半径とほぼ同径または前記ころの半径より大きく、装置の軸に組み入れられるころと同数以上の前記ころが前記外周面に組み入れられるように設けられ、
前記筒体の内径が前記装置の軸の外径未満であり、かつ前記複数の溝の底によって前記外周面に形成される円筒体の径が前記装置の軸の外径以上の大きさに形成されることを特徴とするころ脱落防止具。
【請求項２】
前記ころ軸受の軸に平行な突起が前記筒体の外周面に少なくとも１つ形成されることを特徴とする請求項１に記載のころ脱落防止具。
【請求項３】
前記突起の円周方向の幅が、前記ころの径未満であることを特徴とする請求項２に記載のころ脱落防止具。
【請求項４】
ころの半径とほぼ同径または前記ころの半径より大きく形成された曲率半径を有し、装置の軸に組み入れられるころと同数以上の前記ころが前記外周面に組み入れられるようにころ軸受の軸に平行に設けられた溝が外周面に複数形成され、内径が前記装置の軸の外径未満であり、かつ前記複数の溝の底が前記外周面に形成する円筒本体の径が前記装置の軸の外径以上の大きさに形成されたころ脱落防止具の円筒本体を前記ころ軸受の内径面内側に挿入して前記ころ軸受からころが脱落することを防止するステップと、
前記ころ脱落防止具の軸と前記装置の軸の中心を合わせて前記ころ軸受に装置の軸を挿入するステップと、
前記ころ軸受の軸および前記装置の軸に平行に前記装置の軸を押圧して、前記ころ軸受から前記ころ脱落防止具を押し出して前記装置の軸に前記ころを組みかえるステップを順に実施することを特徴とするころ脱落防止具を用いたころの組み入れ方法。
【発明の詳細な説明】
【技術分野】
【０００１】
本発明は、装置の軸に組み入れる前に内輪が設けられていない針状ころ軸受に組み入れられた針状ころが針状ころ軸受から脱落することを防止するころ脱落防止具およびころ脱落防止具を用いた針状ころの組み入れ方法に関し、特に、保管時および運搬時等の非使用時に針状ころが針状ころ軸受から脱落することを防止するころ脱落防止具およびころ脱落防止具を用いた針状ころの組み入れ方法に関する。
【背景技術】
【０００２】
代表的な針状ころ軸受であるケージアンドローラは、内輪および外輪を備えず、複数のころと保持器とから構成される。保持器には、径方向外方及び径方向内方にころが脱落することを防止するころ脱落防止手段が設けられているが、保持器に脱落防止手段を設けずに保持器によって保持されたころの内周部と外周部にペアとなる内筒と外筒を挿入してころの脱落を防止するものもある（例えば、特許文献１参照）。もう一つの針状ころ軸受であるシェル型ニードル軸受は、一般に内輪を備えていないが、ころ数を多くして負荷容量を増大させるために、保持器を用いないことがある。
【０００３】
本出願人は、保持器を有するケージアンドローラの内径面内側に挿入され、スリットを有する円柱面の外面に円筒体の軸と平行に形成された多数の凹溝にころの一部を収納してころを安定して装着することができるころ脱落防止具について特許出願を行っている（例えば、特許文献２参照）。
【先行技術文献】
【特許文献】
【０００４】
【特許文献１】実登第２５２３１８３号公報
【特許文献２】特開２００２−８１４５６号公報
【発明の概要】
【発明が解決しようとする課題】
【０００５】
しかしながら、保持器がない、または内輪が挿入されていない軸受に外輪を圧入して組みかえようとすると、保持器がないため、ころに働く重力や組立の際の衝動によってころが落下することがあった。
【０００６】
また、特許文献１では、内径に円筒を挿入してころの脱落を防いでいるが、針状ころの場合、斜めに傾いて保持されることがあり、軸に組み入れるとき、斜めに傾いた状態で組み入れられ、針状ころが傷ついたり、途中で挿入できなくなったりすることがある。
【０００７】
特許文献２では、ころは軸に平行に収容されるが、ころが溝の淵に当たったり、ころ同士が接触して傷ついたり、ころの数が足りなかったり、ころ脱落防止具によってころの脱落防止はできても組みかえ時に装置の軸がころの端にかかってころを傷めたり、ころを装置の軸に組みかえることができないことがあった。
【０００８】
本発明は、このような問題点に鑑みてなされたもので、その目的とするところは、ころを傷つけること無く、装置の軸に確実にころを組みかえることができるころの脱落防止具およびころ脱落防止具を用いたころの組み入れ方法を提供することにある。
【課題を解決するための手段】
【０００９】
本発明のころ脱落防止具は、ころ軸受の軸に平行な溝が外周面に複数形成された筒体を前記ころ軸受の内径面内側に挿入して前記ころ軸受からころが脱落することを防止するころ脱落防止具であって、前記溝は、前記溝の曲率半径が前記ころの半径とほぼ同径または前記ころの半径より大きく、装置の軸に組み入れられるころと同数以上の前記ころが前記外周面に組み入れられるように設けられ、前記筒体の内径が前記装置の軸の外径未満であり、かつ前記複数の溝の底によって前記外周面に形成される円筒体の前記装置の径が軸の外径以上の大きさに形成されることを特徴とする。
【００１０】
本発明のころ脱落防止具を用いたころの組み入れ方法は、ころの半径とほぼ同径または前記ころの半径より大きく形成された曲率半径を有し、装置の軸に組み入れられるころと同数以上の前記ころが前記外周面に組み入れられるようにころ軸受の軸に平行に設けられた溝が外周面に複数形成され、内径が前記装置の軸の外径未満であり、かつ前記複数の溝の底が前記外周面に形成する円筒本体の径が前記装置の軸の外径以上の大きさに形成されたころ脱落防止具の円筒本体を前記ころ軸受の内径面内側に挿入して前記ころ軸受からころが脱落することを防止するステップと、前記ころ脱落防止具の軸と前記装置の軸の中心を合わせて前記ころ軸受に装置の軸を挿入するステップと、前記ころ軸受の軸および前記装置の軸に平行に前記装置の軸を押圧して、前記ころ軸受から前記ころ脱落防止具を押し出して前記装置の軸に前記ころを組みかえるステップを順に実施することを特徴とする。
【発明の効果】
【００１１】
本発明によれば、ころを傷つけること無く、装置の軸に確実にころを組みかえることができるころの脱落防止具およびころ脱落防止具を用いたころの組み入れ方法を提供することができる。
【図面の簡単な説明】
【００１２】
【図１】本発明の第１の実施形態のころ脱落防止具を装着した針状ころ軸受を示す図（ａ）ころ脱落防止具を装着した針状ころ軸受の縦断面図（ｂ）ころ脱落防止具を装着した針状ころ軸受の横断面図
【図２】本発明の第１の実施形態のころ脱落防止具を示す図（ａ）ころ脱落防止具の横断面図（ｂ）ころ脱落防止具の側面図
【図３】本発明の第１の実施形態のころ脱落防止具の溝の半径と針状ころの半径について説明する拡大横断面図
【図４】本発明の第１の実施形態のころ脱落防止具から軸に組みかえる方法を説明する縦断面図（ａ）ころ脱落防止具から軸に組みかえ中の状態を説明する縦断面図（ｂ）ころ脱落防止具から軸に組みかえが終了した状態を説明する縦断面図
【図５】本発明の第２の実施形態のころ脱落防止具を示す横断面図
【図６】本発明の第３の実施形態のころ脱落防止具を示す横断面図
【発明を実施するための形態】
【００１３】
以下、図面に基づき、本発明の実施形態について説明する。第１の実施形態は、ころ脱落防止具の外周面に軸に組み入れられる針状ころの数と同数の溝を針状ころの間にすきまが生じ無いように設けた例であり、第２の実施形態は、ころ脱落防止具の外周面に軸に組み入れられる針状ころの数と同数の溝と突起を針状ころの間にすきまが生じ無いように設けた例であり、第３の実施形態は、ころ脱落防止具の外周面に軸に組み入れられる針状ころの数を越える数の溝を針状ころの間にすきまが生じ無いように設けた例である。
【００１４】
図１は、本発明の第１の実施形態のころ脱落防止具を装着した針状ころ軸受を示す図であり、図１（ａ）は、ころ脱落防止具を装着した針状ころ軸受の縦断面図、図１（ｂ）は、ころ脱落防止具を装着した針状ころ軸受の横断面図であり、図２は、本発明の第１の実施形態のころ脱落防止具を示す図であり、図２（ａ）は、ころ脱落防止具の横断面図、図２（ｂ）は、ころ脱落防止具の側面図である。
【００１５】
図１および図２に示すように、脱落防止具１１は、針状ころ軸受１２の内径面１３内側に挿入されて針状ころ軸受１２から針状ころ１４が脱落することを防止するものであり、円筒本体１５の外周面１６に針状ころ軸受１２の軸１７に平行な溝１８が軸に組み入れられる針状ころ１４と同数すきま無く設けられる。針状ころ軸受１２には、円筒本体１５の軸方向両端に鍔部１９、２０が設けられ、軸方向に針状ころ１４を保持する。脱落防止具１１の軸方向の長さＬ１は、ころ長さＬ２の半分以上であることが望ましく、ころ軸受の長さＬ３よりも長いことが好ましい。
【００１６】
図２に示すように、組みかえる軸の外径をＲとすると、脱落防止具１１の円筒本体１５の内径ｒ１がころ脱落防止具１１から組みかえる軸の外径Ｒ未満であり、かつ複数の溝１８の底が脱落防止具１１の円筒本体１５の外周面１６に形成する円筒体ｃ２の径ｒ２が外径Ｒ以上の大きさになるように脱落防止具１１の円筒本体１５を形成する。
【００１７】
図３は、本発明の第１の実施形態のころ脱落防止具の溝の半径と針状ころの半径について説明する拡大横断面図である。図３に示すように、円筒本体１５の外周面１６に設けられる溝１８は、溝１８の曲率半径ｒ３が針状ころ１４の半径ｒ４とほぼ同径または針状ころ１４の半径より大きく、装置の軸に組み入れられる針状ころ１４と同数の針状ころ１４がすきま無く組み入れられるように設けられる。
【００１８】
図４は、本発明の第１の実施形態のころ脱落防止具から軸に組みかえる方法を説明する縦断面図であり、図４（ａ）は、ころ脱落防止具から軸に組みかえ中の状態を説明する縦断面図、図４（ｂ）は、ころ脱落防止具から軸に組みかえが終了した状態を説明する縦断面である。
【００１９】
図４（ａ）に示すように、脱落防止具１１を装着した針状ころ軸受１２の一方の端から脱落防止具１１の軸１７と組みかえる装置の軸２１の軸の中心を合わせ、針状ころ軸受１２に装置の軸２１を挿入し、針状ころ軸受１２の軸１７および装置の軸２１に平行に装置の軸２１を押圧して、針状ころ軸受１２から脱落防止具１１を押し出す。
【００２０】
脱落防止具１１の円筒本体１５の内径ｒ１が装置の軸２１の外径Ｒ未満に形成されているため、装置の軸２１が脱落防止具１１の円筒本体１５と重なり合い、装置の軸２１が脱落防止具１１の円筒本体１５の内径面内側をすり抜けることは無い。また、脱落防止具１１の円筒本体１５の複数の溝１８の底によって外周面１６に形成される円筒体ｃ２の径ｒ２が装置の軸２１の外径Ｒ以上になるように形成されているため、装置の軸２１の挿入および押圧時、装置の軸２１が溝１８に組み入れられた針状ころ１４を押すことはない。
【００２１】
図４（ｂ）に示すように、溝１８に組み入れられた針状ころ１４は、装置の軸２１の挿入および押圧時、例えば、脱落防止具１１の鍔部２０によって針状ころ軸受１２内に留まって残り、脱落防止具１１のみが押し出され、針状ころ１４は脱落防止具１１の円筒本体１５の溝１８から装置の軸２１に速やかに組み入れられる。
【００２２】
第１の実施形態によれば、針状ころ軸受１２の軸１７に平行な溝１８が装置の軸２１に組み入れられる針状ころ１４と同数設けられるので、一つの溝１８に一つの針状ころ１４が針状ころ軸受１２の軸１７と平行に格納されるため、針状ころ１４を針状ころ軸受１２から装置の軸２１に傷つけること無く組みかえることができる。
【００２３】
第１の実施形態によれば、針状ころ軸受１２の軸１７に平行な溝１８が針状ころ装置の軸２１に組み入れられる針状ころ１４と同数すきま無く設けられるので、運搬時等の衝撃により針状ころ１４同士が移動して互いに傷付け合うことが無い。
【００２４】
第１の実施形態によれば、脱落防止具１１の溝１８の曲率半径が針状ころ１４の半径とほぼ同径または針状ころ１４の半径より大きくなるように脱落防止具１１の溝１８を形成したので、針状ころ軸受１２から装置の軸２１に針状ころ１４を組みかえる時、または運搬時等にも針状ころ１４が溝１８の淵に当たって傷つくことが無い。
【００２５】
第１の実施形態によれば、脱落防止具１１の円筒本体１５の内径ｒ１を装置の軸２１の外径Ｒ未満でかつ複数の溝１８の底によって脱落防止具１１の円筒本体１５の外周面１６に形成される円筒体ｃ２の径ｒ２が装置の軸２１の外径Ｒ以上になるように脱落防止具１１の円筒本体１５を形成したので、装置の軸２１が脱落防止具１１の円筒本体１５に組み入れられた針状ころ１４を押圧することなく、脱落防止具１１の円筒本体１５のみを押し出すので、針状ころ１４を傷つけることなく針状ころ軸受１２から装置の軸２１に針状ころ１４を組み入れることができる。
【００２６】
図５は、本発明の第２の実施形態のころ脱落防止具を示す横断面図である。第１の実施形態と同一または相当する部分には同一の番号を付して説明を省略する。第２の実施形態は、軸に組み入れられたとき針状ころ１４にすきまが生じる場合で、図５に示すように、脱落防止具３１は、円筒本体３５の外周面３６の溝１８に、軸に組み入れられる針状ころ１４の数と同数の針状ころ１４を組み入れたときに針状ころ１４の間にすきまが生じないように、脱落防止具３１の円筒本体３５の外周面３６に軸に組み込む針状ころ１４の数と同数の溝１８と円周方向の幅が針状ころ１４の径未満である突起３３を設けて、脱落防止具３１に組み入れた針状ころ１４の間にすきまが生じないようにしている。
【００２７】
第２の実施形態によれば、針状ころ軸受３２の軸１７に平行な溝１８が軸４１に組み入れられる針状ころ１４と同数すきま無く設けられるので、一つの溝１８に一つの針状ころ１４が針状ころ軸受１２の軸１７と平行に格納されるため、針状ころ軸受１２から軸４１に針状ころ１４を傷つけること無く組みかえることができる。
【００２８】
第２の実施形態によれば、針状ころ１４にすきまがある状態で軸に組み入れられる場合であっても、脱落防止具３１の円筒本体３５の外周面３６に突起３３を設けて針状ころ１４をすきま無く組み入れられたので、運搬時等の衝撃により針状ころ１４同士が互いに移動して傷付け合うことが無い。
【００２９】
図６は、本発明の第３の実施形態のころ脱落防止具を示す横断面図である。第１の実施形態と同一または相当する部分には同一の番号を付して説明を省略する。第３の実施形態は、軸に組み入れられる針状ころ１４が少ない場合で、図５に示すように、脱落防止具５１は、円筒本体５５の外周面５６の溝１８に軸に組み入れられる針状ころ１４の数と同数の針状ころ１４を組み入れたときに針状ころ１４の間に大きなすきまが生じないように、脱落防止具５１の外周面５６に軸に組み入れられる針状ころ１４の数を超える曲率半径ｒ３が針状ころ１４の半径ｒ４とほぼ同径の溝１８を設け、軸に組み入れる予定数の針状ころ１４をすきま無く組み入れ、軸に組み入れられる針状ころ１４の数を超えて余った溝５８を空けた状態にするものである。
【００３０】
第３の実施形態によれば、針状ころ軸受４２の軸１７に平行な溝１８が軸５１に組み入れられる針状ころ１４と同数すきま無く設けられ、一つの溝１８に一つの針状ころ１４が針状ころ軸受１２の軸１７と平行に格納されるため、針状ころ軸受１２から軸受５１に針状ころ１４を傷つけること無く組み入れることができる。
【００３１】
第３の実施形態によれば、針状ころ１４にすきまがある状態で軸５１に組み入れられる場合であっても、脱落防止具４１の外周面４２に余分な、曲率半径ｒ３が針状ころ１４の半径ｒ４とほぼ同径の溝１８を設けたことで、針状ころ１４をすきま無く組み入れられ、針状ころ１４が溝１８から出ることが無いので、運搬時等の衝撃により針状ころ１４同士が移動して互いに傷付け合うことが無い。
【符号の説明】
【００３２】
１１、３１、５１・・・脱落防止具
１２・・・針状ころ軸受
１３・・・針状ころ軸受の内径面
１４・・・針状ころ
１５、３５、５５・・・脱落防止具の円筒本体
１６、３６、５６・・・脱落防止具の円筒本体の外周面
１７・・・針状ころ軸受の軸
１８・・・溝
１９、２０・・・脱落防止具の円筒本体の鍔部
２１・・・装置の軸
３３・・・突起
ｃ２・・・複数の溝の底に脱落防止具の円筒本体の外周面によって形成される円筒体
Ｌ１・・・脱落防止具の軸方向長さ
Ｌ２・・・ころ長さ
Ｌ３・・・ころ軸受長さ
ｒ１・・・脱落防止具の円筒本体の内径
ｒ２・・・複数の溝の底に脱落防止具の円筒本体の外周面によって形成される円筒体の径
ｒ３・・・溝の曲率半径
ｒ４・・・ころの半径
Ｒ・・・装置の軸の外径
【図１】
2013152009.tif 000003
【図２】
2013152009.tif 000004
【図３】
2013152009.tif 000005
【図４】
2013152009.tif 000006
【図５】
2013152009.tif 000007
【図６】
2013152009.tif 000008